【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
閉鎖空間内での二酸化塩素の気相付与方法であって：
前記閉鎖空間をｘ（％）に等しい相対湿度（ＲＨ）に環境制御する工程と；
二酸化塩素ガスを発生させる工程と；
二酸化塩素ガス濃度及び接触時間の特定の条件（ＣＴ条件）下に、二酸化塩素ガスを前記閉鎖空間へ導入する工程と；
を含み、前記ＲＨが約５％〜約５６％の範囲内にあり、そして、
前記ＲＨ及び前記ＣＴ条件が、（ｉ）閉鎖空間内の汚染物質を除去し、かつ（ｉｉ）閉鎖空間内及びその空間内の内容物上における二酸化塩素の酸化によって生じる化学腐食を、気相付与する間に軽減するのに有効である、前記方法。
【請求項２】
二酸化塩素ガスを導入する前記工程が：二酸化塩素ガスをＣＴ値約１５０ｐｐｍｖ〜約２９，０００ｐｐｍｖで閉鎖空間へ導入する工程を含む、請求項１に記載の方法。
【請求項３】
二酸化塩素ガスを導入する前記工程が：二酸化塩素ガスを濃度約２５ｐｐｍｖ〜約１０，０００ｐｐｍｖで閉鎖空間へ導入する工程を含む、請求項２に記載の方法。
【請求項４】
前記二酸化塩素ガスを、ｙ（ｐｐｍｖ−時間）に等しい二酸化塩素のＣＴ値で、閉鎖空間へ導入し、ここで、ｙ＝６ｘ２−８７０ｘ＋３２１００±１０００であり、ｘは％ＲＨに等しいものとする、請求項１に記載の方法。
【請求項５】
前記ＲＨが約３５％〜約５３％の範囲内にある、請求項１に記載の方法。
【請求項６】
前記ＲＨが約４５％〜約４８％の範囲内にある、請求項１に記載の方法。
【請求項７】
前記閉鎖空間内の前記汚染物質が、細菌、胞子、カビ、マイコトキシン、アレルゲン、昆虫、幼虫、クモガタ綱の動物、トカゲ、及びそれらの組み合わせからなる群から選択される、請求項１に記載の方法。
【請求項８】
前記閉鎖空間及びその閉鎖空間内の内容物が、金属製物体、非金属製物体、及びそれらの組み合わせからなる群から選択される物体を含む、請求項１に記載の方法。
【請求項９】
前記金属製物体が、鋼、アルミニウム、鉄、銅、クロム、鉛、及びそれらの組み合わせからなる群から選択される金属から形成される、請求項８に記載の方法。
【請求項１０】
前記非金属製物体が、木材、れんが、石材、コンクリート、セラミックタイル、天井タイル、カーペット、織物、及びそれらの組み合わせからなる群から選択される材料から形成される、請求項８に記載の方法。
【請求項１１】
二酸化塩素ガスを導入する前記工程が：二酸化塩素ガスをＣＴ値約１，０００ｐｐｍｖ−時間〜約２９，０００ｐｐｍｖ−時間で閉鎖空間へ導入する工程を含む、請求項２に記載の方法。
【請求項１２】
二酸化塩素ガスを導入する前記工程が：二酸化塩素ガスをＣＴ値約１，１９６ｐｐｍｖ−時間〜約２８，９００ｐｐｍｖ−時間で閉鎖空間へ導入する工程を含む、請求項１１に記載の方法。
【請求項１３】
二酸化塩素ガスを導入する前記工程が：二酸化塩素ガスをＣＴ値約１，８４４ｐｐｍｖ−時間〜約１０，０００ｐｐｍｖ−時間で閉鎖空間へ導入する工程を含む、請求項１２に記載の方法。
【請求項１４】
二酸化塩素ガスを導入する前記工程が：二酸化塩素ガスをＣＴ値約３，１６４ｐｐｍｖ−時間〜約６，１００ｐｐｍｖ−時間で閉鎖空間へ導入する工程を含む、請求項１３に記載の方法。
【請求項１５】
二酸化塩素ガスを導入する前記工程が：二酸化塩素ガスを濃度約２５ｐｐｍｖ〜約１０，０００ｐｐｍｖで閉鎖空間へ導入する工程を含む、請求項３に記載の方法。
【請求項１６】
前記二酸化塩素ガスを、濃度約５００ｐｐｍｖ〜約３，０００ｐｐｍｖで閉鎖空間へ導入する、請求項１５に記載の方法。
【請求項１７】
閉鎖空間を環境制御する前記工程を、温度約５０°Ｆ〜約９０°Ｆで実施する、請求項１〜４のいずれか一項に記載の方法。
【請求項１８】
閉鎖空間を環境制御する前記工程を、温度約６５°Ｆ〜約８５°Ｆで実施する、請求項１７に記載の方法。
【請求項１９】
前記二酸化塩素ガスを適切な時間にわたり閉鎖空間へ導入して、ｙ（ｐｐｍｖ−時間）に等しい二酸化塩素のＣＴ値を達成する、請求項１〜８、１１〜１６、又は１８のいずれか一項に記載の方法。
【請求項２０】
前記閉鎖空間内に、温度、ＲＨ、濃度、及び接触時間をモニタリング及び制御する工程を更に含む、請求項１に記載の方法。
【請求項２１】
閉鎖空間内に二酸化塩素を気相付与する間の化学腐食を軽減する方法であって：
前記閉鎖空間を、約５６％を超えない相対湿度（ＲＨ）に環境制御する工程と；
二酸化塩素ガスを発生させる工程と；及び、
所望レベルの標的生物の死滅又は汚染物質の酸化を達成するのに有効なＣＴ値約１５０ｐｐｍｖ−時間〜約２９，０００ｐｐｍｖ−時間で、二酸化塩素ガスを前記閉鎖空間へ導入する工程と；
を含み、そして
前記ＲＨが、閉鎖空間内及びその閉鎖空間内にある内容物上における腐食を減少するか又は除去するための閾値レベル未満である、前記方法。
【請求項２２】
前記相対湿度が約５％〜約５６％の範囲であり、そして前記有効なＣＴ値が約１，０００ｐｐｍｖ−時間〜約２９，０００ｐｐｍｖ−時間である、請求項２１に記載の方法。
【請求項２３】
前記二酸化塩素ガスをＣＴ値約１，１９６ｐｐｍｖ−時間〜約２８，９００ｐｐｍｖ−時間で閉鎖空間へ導入する、請求項２２に記載の方法。
【請求項２４】
前記二酸化塩素ガスをＣＴ値約１，８４４ｐｐｍｖ−時間〜約１０，０００ｐｐｍｖ−時間で閉鎖空間へ導入する、請求項２３に記載の方法。
【請求項２５】
前記二酸化塩素ガスをＣＴ値約３，１６４ｐｐｍｖ−時間〜約６，１００ｐｐｍｖ−時間で閉鎖空間へ導入する、請求項２４に記載の方法。
【請求項２６】
前記閉鎖空間が、浄化を必要とする大型建築物又はその部分を含む、請求項１に記載の方法。
【請求項２７】
前記の二酸化塩素ガスを発生させる工程が、水性二酸化塩素から二酸化塩素ガスを発生させることによって行なわれ、前記水性二酸化塩素が、塩酸、次亜塩素酸ナトリウム、及び亜塩素酸ナトリウムを反応させることによって発生する、請求項１に記載の方法。
【請求項２８】
大型閉鎖空間用の除染システムであって：
二酸化塩素ガスを発生及び供給する手段と；
前記閉鎖空間内の汚染物質を除去するのに有効なＣＴ値で、二酸化塩素ガスを導入する手段と；
前記閉鎖空間内で閾値レベル未満の相対湿度（ＲＨ）を得る手段であって、前記閾値レベルが、二酸化塩素の酸化によって生じる化学腐食を、閉鎖空間内及びその空間内の内容物上で減少させるか又は除去させるレベルである、前記手段と；
前記閉鎖空間内で負圧を作り出す手段と；
浄化すべき前記閉鎖空間内の全体にわたって、二酸化塩素ガスを循環する手段と；
を含み、そして
更に、前記閉鎖空間内の全体にわたって、温度、ＲＨ、濃度、及び接触時間の少なくとも１つをモニタリングする装置が配置されることを含む、前記システム。
【請求項２９】
前記の二酸化塩素ガスを供給する手段が、二酸化塩素発生器を含む、請求項２８に記載のシステム。
【請求項３０】
前記二酸化塩素発生器が、水性二酸化塩素から二酸化塩素ガスを発生させる発生器であり、前記水性二酸化塩素が、塩酸、次亜塩素酸ナトリウム、及び亜塩素酸ナトリウムを反応させることによって発生する、請求項２９に記載のシステム。
【請求項３１】
前記閉鎖空間が、建築物又はその部分を含む、請求項２８に記載のシステム。
【手続補正２】
【補正対象書類名】明細書
【補正対象項目名】００３４
【補正方法】変更
【補正の内容】
【００３４】
本発明の或る実施態様では、ｙ（ｐｐｍｖ−時間）に等しい二酸化塩素のＣＴ値で二酸化塩素ガスを閉鎖空間へ導入し、ここで、ｙ＝６ｘ２−８７０ｘ＋３２１００±１０００であり、ｘは％ＲＨに等しい。更なる実施態様では、ＣＴ値約２９，０００ｐｐｍｖ−時間〜約１０００ｐｐｍｖ−時間で二酸化塩素ガスを閉鎖空間へ導入する。更に別の実施態様では、濃度約２５ｐｐｍｖ〜約１０，０００ｐｐｍｖ、好ましくは約５００ｐｐｍｖ〜約３０，０００ｐｐｍｖで二酸化塩素ガスを閉鎖空間へ導入する。
【手続補正３】
【補正対象書類名】明細書
【補正対象項目名】００４５
【補正方法】変更
【補正の内容】
【００４５】
同様に、図５に示されるように、ＲＨ４５％では、ＣＴ５１００（ｐｐｍｖ時間）に等しい二酸化塩素の総濃度によって、６ｌｏｇ死滅を達成することができる。５１００ｐｐｍｖ時間のＣＴは、二酸化塩素を用いた燻蒸のための標準を設定する政府機関及び当業者によって確立された二酸化塩素の許容レベルの範囲内に充分入る。実際に、二酸化塩素の気相付与に対してＣＴ９０００ｐｐｍｖ−時間を用いるのが通例である。ＲＨ約３５％においてＣＴ９０００ｐｐｍｖ−時間を用いて６ｌｏｇ死滅を達成した。
【手続補正４】
【補正対象書類名】明細書
【補正対象項目名】００５５
【補正方法】変更
【補正の内容】
【００５５】
燻蒸工程のために、図８を参照するに、ポンプ２５０によって水をエミッター１００から二酸化塩素発生器１７０に通して、溶液保持タンク１８０へポンプ輸送する（図８Ａ）。次いで、ポンプ１９０を用いて溶液保持タンク１８０からエミッター１００へ溶液をポンプ輸送する（図８Ｂ）。必要な場合には、ポンプ１９５をバックアップポンプとして用いて、エミッターへの溶液の流量を増加させる。エミッター内の水に空気を送る送風機１５０によって、エミッター１００内の溶液から二酸化塩素を揮散させる。
【手続補正５】
【補正対象書類名】明細書
【補正対象項目名】００７２
【補正方法】変更
【補正の内容】
【００７２】
最初に、エミッター／スクラバー１５０をスクラバーとして用いるように適合させなければならない。エミッター／スクラバードレイン上のバルブ１８０、１９０及び２００を適合させる結果として、エミッター／スクラバーからの流体は、いずれもスクラバー溶液タンク２３０へ流れる。バルブ２１０を適合させて、ポンプ２４０からの流れをエミッター／スクラバー内のスプレーヘッド２２０へ運ぶ。
【手続補正６】
【補正対象書類名】明細書
【補正対象項目名】００７３
【補正方法】変更
【補正の内容】
【００７３】
充分なスクラバー溶液を、構造物中に残る二酸化塩素ガスの量を除去するのに必要な濃度で、スクラバータンク２３０に充填する。スクラバー溶液は、気流から二酸化塩素ガスをスクラビングするのに適当な酸中和剤及び脱塩素剤又は他の化学薬剤であることができる。
【手続補正７】
【補正対象書類名】明細書
【補正対象項目名】００７４
【補正方法】変更
【補正の内容】
【００７４】
ポンプ２４０のスイッチを入れて、バルブ２１０を介してスクラバー流体をエミッター／スクラバー１５０内のスプレーヘッダー２２０へ送り込む。エミッター／スクラバー内のインピンジメントバンク１６０は、二酸化塩素ガスを含有する気流とスクラバー溶液との間の密接な接触を確実にする。この接触によって、二酸化塩素ガスがスクラバー溶液と反応して気流から除去されることが可能になる。
【手続補正８】
【補正対象書類名】明細書
【補正対象項目名】００７５
【補正方法】変更
【補正の内容】
【００７５】
スクラバー溶液は、エミッター／スクラバーのインピンジメントバンク１６０からバルブ１９０及び２００を介してスクラバー溶液タンク２３０に流れる。ミストエリミネーター１７０を用いて、エミッター／スクラバーを出る空気から水滴を除去する。ミストエリミネーター１７０によって空気から取り出された液体は、バルブ１８０を介してスクラバー溶液タンク２３０へ流し戻される。
【手続補正９】
【補正対象書類名】明細書
【補正対象項目名】００９２
【補正方法】変更
【補正の内容】
【００９２】
実施例１−実験室試験
２つの同一のチャンバー試験において、二酸化塩素による腐食を受けやすいことが知られている種々の金属の試料を、バチルス・アトロフェウス（Bacillus atrophaeus）の１０００胞子を含む３ｌｏｇ（ｌｏｇ １０３）胞子ストリップ及びクロストリジウム・スポロゴニエス（Claustridium sporogonies）の１０００胞子を含む３ｌｏｇ（ｌｏｇ １０３）胞子ストリッップと共に設置した。試料は、仕上げ釘、かみそりの刃、ペーパークリップ、及び金属やすりを含んでいた。最初の試験では、相対湿度７５％で合計２５０ｐｐｍｖ−時間の二酸化塩素の濃度及び時間（ＣＴ）に試料を曝露した。第２の試験は、試験時間にわたり相対湿度４５〜５０％に湿度を保持した以外は同一内容であった。曝露の完了後に、金属試料を評価しかつ胞子ストリップを増殖に対して培養した。各試験において、胞子ストリップのいずれについても増殖はなかった。相対湿度７５％の試験条件下では、試験片は全て中程度から重度の発錆及び腐食を示した。相対湿度４５〜５０％においては、発錆及び腐食を示した試験片はなかった。
【手続補正１０】
【補正対象書類名】明細書
【補正対象項目名】００９５
【補正方法】変更
【補正の内容】
【００９５】
適切な大きさのガスストリッパーを備えた１日当たり６０００ポンド（６０００ｌｂ／日）の二酸化塩素システムを用いて建築構造物に二酸化塩素を付与した。構造物全体にわたって２８００〜３８００ｐｐｍｖの範囲の濃度を達成するように、構造物に二酸化塩素ガスを加えた。１２時間にわたり構造物に二酸化塩素を加えてこれらの濃度を維持した。処理時間中、構造物内の相対湿度を３２〜４５％に保った。構造物の二酸化塩素（ＣＴ）総曝露は３７，０００ｐｐｍｖ−時間であった。
【手続補正１１】
【補正対象書類名】明細書
【補正対象項目名】００９７
【補正方法】変更
【補正の内容】
【００９７】
実施例３−フィールド試験
構造物を覆い（envelope）内に密閉し、構造物にスクラビングシステムを取り付けて覆い内で負圧を維持し、そして温湿度制御装置を取り付けて環境レベルを維持することにより二酸化塩素を用いた燻蒸に対して構造物を準備した。構造物は約３２００平方フィートの設置面積及び５３０００立方フィートの容積を有していた。処理の間、相対湿度レベル３８％〜５６％の範囲に構造物を保った。約１４時間にわたり連続的に二酸化塩素を加えて平均濃度約３８００ｐｐｍｖを維持した。構造物の全処理は、平均で二酸化塩素５２，０００ｐｐｍｖ時間であった。
【手続補正１２】
【補正対象書類名】明細書
【補正対象項目名】０１０２
【補正方法】変更
【補正の内容】
【０１０２】
二酸化塩素１５００ｐｐｍｖ〜４５００ｐｐｍｖの濃度で二酸化塩素ガスを用いて各構造物を燻蒸した。二酸化塩素濃度に時間を掛けた総量（ＣＴ）は、９０００ｐｐｍｖ時間〜５４，０００ｐｐｍｖ時間の範囲であった。燻蒸の直後及び燻蒸の３０日後に全ての構造物を検査した。いずれの構造物にも腐食又は発錆は観察されなかった。感受性の高い材料は全て、燻蒸の直後及び３０日後の評価で腐食なしであった。
【手続補正１３】
【補正対象書類名】明細書
【補正対象項目名】０１１９
【補正方法】変更
【補正の内容】
【０１１９】
構造物全体にわたってウォールボード材料から処理前及び処理後のＳＲＢ試料を集めて、それらの中に存在する細菌を不活性化し、そして、あらゆる還元されたイオウ化合物を酸化する上でのＣｌＯ２ガスの有効性を評価した。また、建築物壁空洞全体の中で代表的な場所にＢＩ胞子ストリップを配置して、構造物全体にわたるガス浸透の広がりが生じたことを実証づけた。
【手続補正１４】
【補正対象書類名】図面
【補正対象項目名】図９Ｄ
【補正方法】変更
【補正の内容】
【図９Ｄ】
2012528674.tif 000001